(57)【特許請求の範囲】
【請求項１】
ユーザ端末と、複数の無線基地局と、を備え、
それぞれの前記無線基地局は、前記無線基地局自身が形成するセルで同じ周波数を使用し、
各ユーザ端末からの上り送信は、各ユーザ端末が送信するタイムスロットと周波数とをユーザ端末毎に変えることで複数のユーザ信号を多重化して行い、
それぞれの前記無線基地局は、
前記無線基地局自身が形成するセルで通信中のユーザ端末の電力と、そのセルの干渉波電力を測定し、時間とともに記録する手段と、
前記測定した干渉波電力の周波数と時間との情報を、前記無線基地局自身の周辺の無線基地局に通知する手段と、
周辺の無線基地局から通知された干渉波電力の周波数と時間との情報と、前記無線基地局自身が形成するセルで受信している各ユーザ端末の受信電力の周波数と時間との情報と、を比較し、両者の情報に対して相関性の高いユーザ端末がある場合は、そのユーザ端末に対して送信電力を下げるように指示する電力制御信号を生成し、送信する手段と、を備え、
前記ユーザ端末は、
前記電力制御信号を検出すると、自己の送信電力を下げる手段を備える、
移動体通信システム。
【請求項２】
それぞれの前記無線基地局は、
前記測定した干渉波電力が閾値を超えた場合にのみ、前記測定した干渉波電力の周波数と時間との情報を、前記無線基地局自身の周辺の無線基地局に通知する、
ことを特徴とする請求項１記載の移動体通信システム。
【請求項３】
ユーザ端末と、複数の無線基地局と、を備え、
それぞれの前記無線基地局は、前記無線基地局自身が形成するセルで同じ周波数を使用し、
各ユーザ端末からの上り送信は、各ユーザ端末が送信するタイムスロットと周波数とをユーザ端末毎に変えることで複数のユーザ信号を多重化して行い、
それぞれの前記無線基地局は、
前記無線基地局自身が形成するセルの干渉波電力を測定し、時間とともに記録する手段と、
前記測定した干渉波電力の周波数と時間との情報を前記無線基地局自身の周辺の無線基地局のセル内のユーザ端末に通知する手段と、を備え、
前記ユーザ端末は、
周辺の無線基地局から通知された干渉波電力の周波数と時間との情報と、前記ユーザ端末自身が送信した信号の周波数と時間との情報と、を比較し、両者の情報に対して相関性の高い場合は、自己の送信電力を下げる手段を備える、
移動体通信システム。
【請求項４】
それぞれの前記無線基地局は、
前記測定した干渉波電力が閾値を超えた場合にのみ、前記測定した干渉波電力の周波数と時間との情報を前記無線基地局自身の周辺の無線基地局のセル内のユーザ端末に通知する、
ことを特徴とする請求項３記載の移動体通信システム。
【請求項５】
ユーザ端末と、複数の無線基地局と、を備える移動体通信システムのセル間干渉抑圧方法であって、
それぞれの前記無線基地局は、前記無線基地局自身が形成するセルで同じ周波数を使用し、
各ユーザ端末からの上り送信は、各ユーザ端末が送信するタイムスロットと周波数とをユーザ端末毎に変えることで複数のユーザ信号を多重化して行い、
それぞれの前記無線基地局は、
前記無線基地局自身が形成するセルで通信中のユーザ端末の電力と、そのセルの干渉波電力を測定し、時間とともに記録するステップと、
前記測定した干渉波電力の周波数と時間との情報を、前記無線基地局自身の周辺の無線基地局に通知するステップと、
周辺の無線基地局から通知された干渉波電力の周波数と時間との情報と、前記無線基地局自身が形成するセルで受信している各ユーザ端末の受信電力の周波数と時間との情報と、を比較し、両者の情報に対して相関性の高いユーザ端末がある場合は、そのユーザ端末に対して送信電力を下げるように指示する電力制御信号を生成し、送信するステップと、を行い、
前記ユーザ端末は、
前記電力制御信号を検出すると、自己の送信電力を下げるステップを行う、ことを特徴とする、
セル間干渉抑圧方法。
【請求項６】
ユーザ端末と、複数の無線基地局と、を備える移動体通信システムのセル間干渉抑圧方法であって、
それぞれの前記無線基地局は、前記無線基地局自身が形成するセルで同じ周波数を使用し、
各ユーザ端末からの上り送信は、各ユーザ端末が送信するタイムスロットと周波数とをユーザ端末毎に変えることで複数のユーザ信号を多重化して行い、
それぞれの前記無線基地局は、
前記無線基地局自身が形成するセルの干渉波電力を測定し、時間とともに記録するステップと、
前記測定した干渉波電力の周波数と時間との情報を前記無線基地局自身の周辺の無線基地局のセル内のユーザ端末に通知するステップと、を行い、
前記ユーザ端末は、
周辺の無線基地局から通知された干渉波電力の周波数と時間との情報と、前記ユーザ端末自身が送信した信号の周波数と時間との情報と、を比較し、両者の情報に対して相関性の高い場合は、自己の送信電力を下げるステップを行う、ことを特徴とする、
セル間干渉抑圧方法。
【発明の詳細な説明】
【技術分野】
【０００１】
本発明は移動体通信システムに関し、特にセル間干渉抑圧方法に関する。
【背景技術】
【０００２】
移動体通信システムでは、周辺セル間の干渉が大きな問題である。
【０００３】
ＣＤＭＡ（Ｃｏｄｅ  Ｄｉｖｉｓｉｏｎ  Ｍｕｌｔｉｐｌｅ  Ａｃｃｅｓｓ）を用いた最近の移動通信システムでは、送信信号をセル毎あるいはユーザ毎に異なる符号で符号拡散し、受信側の逆拡散で拡散利得により干渉信号を相対的に抑圧することでこの問題を解決している。しかし、ＷＣＤＭＡ（Ｗｉｄｅｂａｎｄ  ＣＤＭＡ）方式の上り回線のように、ユーザ間の符号が完全には直交していない場合には、他ユーザの信号が干渉となるため、ユーザ間の符号が直交している場合に比べ、収容可能なユーザ数が低下し、結果としてセル内の全ユーザの合計のデータ速度、すなわちセル容量が低下する。
【０００４】
ＣＤＭＡ以前のＦＤＭＡの移動体通信システムでは、隣り合うセル間で異なる周波数を割り当てることにより、干渉が生じないようにしているが、セル毎に使用できない周波数が生じることになり、周波数の利用効率が低下する。
【０００５】
次期移動体通信システムでは、ユーザ間の直交化を図るため、上り方向についてはＦＤＭＡ（Ｆｒｅｑｕｅｎｃｙ  Ｄｉｖｉｓｉｏｎ  Ｍｕｌｔｉｐｌｅ  Ａｃｃｅｓｓ）を適用し、かつ、周波数の利用効率の低下を避けるため、隣り合うセル間でも同じ周波数を使用することが検討されている。セル間の干渉については、ＨＡＲＱ（Ｈｙｂｒｉｄ  Ａｕｔｏｍａｔｉｃ  Ｒｅｐｅａｔ  ｒｅＱｕｅｓｔ）などの高速な再送方式を適用することである程度回避できると考えられているが、更なる工夫が望まれている。
【先行技術文献】
【非特許文献】
【０００６】
【非特許文献１】丸林元、中川正雄、河野隆二 共著「スペクトル拡散通信とその応用」、（社）電子情報通信学会、平成１０年５月１０日発行  Ｐ．１８８〜１９９
【非特許文献２】奥村喜久、進士昌明 監修「移動通信の基礎」、（社）電子情報通信学会、昭和６１年１０月１日発行  Ｐ．１８８〜１９５
【発明の概要】
【発明が解決しようとする課題】
【０００７】
本発明の目的は、セル間の干渉を低減し、システムとしてのスループットを改善することにある。
【課題を解決するための手段】
【０００８】
本発明の第１の態様では、各セルの無線基地局で測定された干渉波電力の周波数と時間の情報（干渉波電力プロファイル）を周辺のセルの無線基地局に通知し、該無線基地局が通知された周辺のセルの干渉波電力プロファイルと、自セルで受信している各ユーザ端末の電力プロファイルを比較し、相関性の高いユーザ端末を見つけた場合は、そのユーザ端末に対して送信電力を下げるように指示する。
【０００９】
本発明の第２の態様では、各セルの無線基地局で測定された干渉波電力の周波数と時間の情報（干渉波電力プロファイル）を周辺のセルのユーザ端末に通知し、各セルのユーザ端末が、該ユーザ端末が送信した信号の周波数と時間の情報と、周辺のセルの無線基地局から通知された干渉波電力の周波数と時間の情報を比較し、相関性が高い場合に、自己の送信電力を下げる。
【００１０】
こうすることにより、周辺セルに対する干渉を低減させることができる。
【発明の効果】
【００１１】
本発明は、セル間の干渉を低減し、システムとしてのスループットを改善することができる。
【図面の簡単な説明】
【００１２】
【図１】本発明の第１の実施形態の移動体通信システムの構成図である。
【図２】本発明の第２の実施形態の移動体通信システムの構成図である。
【発明を実施するための形態】
【００１３】
次に、本発明の実施の形態について図面を参照して説明する。
【００１４】
図１は本発明の第１の実施形態の移動体通信システムの構成図である。本実施形態は、３つのセルＣ１〜Ｃ３が、セルＣ１に対しセルＣ２とセルＣ３が周辺に位置するように存在し、セルＣ１内のユーザ端末の送信電力を下げる場合を想定している。セルＣ１〜Ｃ３にはそれぞれ無線基地局１〜３が存在する。無線基地局１は受信機１１と送信機１２と受信電力測定回路１３と干渉波電力測定回路１４と相関回路１５と電力制御信号生成回路１６とを有している。無線基地局２は受信機１１と受信電力測定回路１３と干渉波電力測定回路１４とを有している。無線基地局３は受信機１１と受信電力測定回路１３と干渉波電力測定回路１４とを有している。無線基地局２、３では送信機１２と相関回路１５と電力制御信号生成回路１６は、セルＣ１内のユーザ端末４の送信電力を下げる場合を想定しているため、図示されていない。また、無線基地局１〜３のその他の構成要素は、本発明と直接関係ないため図示されていない。ユーザ端末４は受信機２１と送信機２２と電力制御信号検出回路２３を有している。ユーザ端末４のその他の構成要素は、本発明と直接関係ないため図示されていない。セルＣ１内のその他のユーザ端末、セルＣ２、Ｃ３内のそのユーザ端末は説明を簡単にするために図示されていない。
【００１５】
次に、本実施形態の動作を説明する。
【００１６】
各ユーザ端末からの上り送信は、各ユーザ端末が送信する時間（タイムスロット）と周波数をユーザ端末毎に変えることで複数のユーザ信号を多重化して行う。
【００１７】
各セルＣ１〜Ｃ３の無線基地局１〜３のスケジューラ（不図示）は、セル配下のユーザ端末に対し、送信する時間と周波数を指定する、時間および周波数のスケジューリングを行っている。
【００１８】
それぞれの無線基地局１〜３は、受信電力測定回路１３と干渉波電力測定回路１４でそのセルで通信中のユーザ端末の電力と、そのセルの干渉波電力をそれぞれ測定し、受信帯域内の周波数毎の電力を時間情報とともに記録する。測定した干渉波電力の周波数・時間の情報は周辺のセルの無線基地局に通知される。セルＣ１の無線基地局１では、相関回路１５で、通知されたセルＣ２とセルＣ３の干渉波電力の周波数・時間情報と、セルＣ１で受信している各ユーザ端末の受信電力の周波数・時間の情報を比較し、相関性を調査する（例えば、相互相関を取る）。相関回路１５は、相関性の高いユーザ端末を見つけた場合は、そのユーザ端末に対して送信電力を下げるように指示する電力制御信号を電力制御信号生成回路１６で生成し、送信機１２より送信する。セルＣ１内のユーザ端末、たとえばユーザ端末４は電力制御信号を、受信機２１を経て電力制御信号検出回路２３で検出すると、送信機２２の送信電力を下げる。なお、干渉波電力の情報は、干渉波電力が閾値を越えた場合にのみ周辺のセルの無線基地局に通知するようにしてもよい。
【００１９】
図２は本発明の第２の実施形態の移動体通信システムの構成図である。本実施形態は、３つのセルＣ１〜Ｃ３が、セルＣ１に対しセルＣ２とセルＣ３が周辺に位置するように存在し、セルＣ１内のユーザ端末の送信電力を下げる場合を想定している。セルＣ１〜Ｃ３にはそれぞれ無線基地局１〜３が存在する。無線基地局１〜３は同じ構成で、受信機１１と送信機１２と干渉波電力測定回路１４と電力情報信号生成回路１７とを有している。無線基地局２は受信機１１と受信電力測定回路１３と干渉波電力測定回路１４とを有している。無線基地局１〜３のその他の構成要素は、本発明と直接関係ないため図示されていない。ユーザ端末４は受信機２１と送信機２２と相関回路２４を有している。ユーザ端末４のその他の構成要素は、本発明と直接関係ないため図示されていない。セルＣ１内のその他のユーザ端末、セルＣ２、Ｃ３内のそのユーザ端末は説明を簡単にするために図示されていない。
【００２０】
各ユーザ端末からの上り送信は、各ユーザ端末が送信する時間（タイムスロット）と周波数をユーザ端末毎に変えることで複数のユーザ信号を多重化して行う。
【００２１】
各セルＣ１〜Ｃ３の無線基地局１〜３のスケジューラ（不図示）は、セル配下のユーザ端末に対し、送信する時間と周波数を指定する、時間および周波数のスケジューリングを行っている。
【００２２】
それぞれのセルＣ１〜Ｃ３の無線基地局１〜３では、干渉波電力測定回路１４でそのセルの干渉波電力を、受信帯域内の周波数毎に時間情報とともに測定し、測定した干渉波電力の周波数・時間情報を電力情報信号生成回路１７で生成し、送信機１２よりユーザ端末に送信する。セルＣ１内のユーザ端末、たとえばユーザ端末４は、相関回路２４で、周辺のセルＣ２、Ｃ３から受信した干渉波電力の周波数・時間情報と、自らが送信した信号の周波数・時間情報を比較して、相関性を調査し、相関性が高い場合には送信電力を下げるように送信機２２を制御する。なお、干渉波電力の情報は、干渉波電力が閾値を越えた場合にのみ周辺のセルのユーザ端末に通知するようにしてもよい。
【符号の説明】
【００２３】
Ｃ１〜Ｃ３    セル
１〜３    無線基地局
４    ユーザ端末
１１    受信機
１２    送信機
１３    受信電力測定回路
１４    干渉波電力測定回路
１５    相関回路
１６  電力制御信号生成回路
１７    電力情報信号生成回路
２１    受信機
２２    送信機
２３    電力制御信号検出回路
２４  相関回路
【図１】
0005848398.tif 000002
【図２】
0005848398.tif 000003